(57)【要約】  【課題】強度がより向上した雨水貯留浸透システム用構造部材及びこれを用いた雨水貯留浸透システムを提供する。  【解決手段】複数の棒状の横部材２及び複数の板状の横部材３を組み立てて三次元構造体１を形成する。このとき、縦部材２の第１係合部と横部材３の第２係合部とを縦方向にスライド可能に係合させる。縦部材２は縦方向に並べて複数設けられ、１つの縦部材２の第１係合部が、縦方向に互いに隣接する２つの横部材３の第２係合部に係合する。これにより、地盤沈下などによって縦部材又は横部材が縦方向に変位した場合であっても、対応する第１係合部及び第２係合部が追従してスライドするだけで、それらの係合部が追従できずに破断するのを防止できるので、強度をより向上することができる。【選択図】          図２
2009062741.tif 000002
【特許請求の範囲】
【請求項１】
複数の棒状の縦部材及び複数の板状の横部材を組み立てて三次元構造体を形成するための雨水貯留浸透システム用構造部材であって、
上記縦部材には、第１係合部が形成され、
上記横部材には、上記第１係合部に対して縦方向にスライド可能に係合する第２係合部が形成され、
複数の上記横部材が縦方向に並べて設けられるとともに、それらの横部材のうち縦方向に互いに隣接する少なくとも２つの横部材の上記第２係合部に対して、１つの上記縦部材の上記第１係合部が係合することを特徴とする雨水貯留浸透システム用構造部材。
【請求項２】
３つの上記縦部材及びこれらの縦部材を介して互いに三角形状に連結された３つの上記横部材により、トラス構造体が形成されることを特徴とする請求項１に記載の雨水貯留浸透システム用構造部材。
【請求項３】
上記縦部材には、上記第１係合部が周方向に等間隔に並べて６つ形成され、周方向に隣接する上記第１係合部に係合する上記横部材が、互いに６０°の角度をなすことを特徴とする請求項２に記載の雨水貯留浸透システム用構造部材。
【請求項４】
請求項１〜３のいずれかに記載の雨水貯留浸透システム用構造部材により形成される上記三次元構造体を地面に埋設することにより、複数の上記横部材によって囲まれた縦方向に延びる空間内に雨水を貯留可能としたことを特徴とする雨水貯留浸透システム。
【発明の詳細な説明】
【技術分野】
【０００１】
本発明は、複数の棒状の縦部材及び複数の板状の横部材を組み立てて三次元構造体を形成するための雨水貯留浸透システム用構造部材及びこれを用いた雨水貯留浸透システムに関するものである。
【背景技術】
【０００２】
近年、特に都市部で異常降雨や出水、あるいはその逆の異常乾燥といった問題が頻繁に生じており、その原因としてヒートアイランド現象が取り上げられている。かかる現象を緩和するため、雨水を利用する施設の構築が提案されており、そのような施設を構成する雨水貯留構造物の開発が進んでいる。
【０００３】
このような雨水貯留構造物として、例えば、地面にピットを掘り、その表面に遮水シートを敷設するとともに、その上面に複数の容器状部材を積み上げて三次元構造体を形成し、さらに最上部に覆土などを施して被覆することにより、上記三次元構造体により形成される空間内に雨水を貯留可能な構造物が提案されている。
【０００４】
図１２は、雨水貯留構造物の従来例を示した概略図である。この例では、地面１０１を掘下げてタンク部１０２が形成されている。タンク部１０２は、平面視で矩形状に形成され、その側壁部１０２ａは緩やかな傾斜面となっている。このタンク部１０２の底部１０２ｂ及び側壁部１０２ａには、コンクリート等は打設されておらず、タンク部１０２の底部１０２ｂに砂利を敷き詰めることにより形成された砂利層１０３上に、複数の箱形部材１０４が連設配置されている。ここで、１０９は被覆層、１１０は側溝、１１１は流出口を表している（例えば、特許文献１参照）。
【０００５】
図１３は、雨水貯留構造物の他の従来例を示した概略図である。この例では、中空体である複数の着脱自在支柱２３１が連結部材２１１で垂直に固定されることにより、雨水貯留用充填材が形成されている。連結部材２１１は、着脱自在支柱２３１の端部を挿入固定する複数の支柱嵌合部２１２を有し、支柱嵌合部２１２が連結桟２２１及び縁枠２２６で一体的に連結されている。支持嵌合部２１２は、支柱端部を挿入する筒部２１３と内部に設けたストッパ２１４からなり、筒部２１３はストッパ２１４によって上面開口部２１３ａと下面開口部２１３ｂに分割されている。隅部における下面開口部２１３Ｂは、縁枠２２６の下端から下方に突出している（例えば、特許文献２参照）。
【特許文献１】特開昭６３−２６８８２３号公報
【特許文献２】特開２００４−１９２０５号公報
【発明の開示】
【発明が解決しようとする課題】
【０００６】
しかしながら、上記のような従来の雨水貯留構造物では、地盤沈下などが発生し、ピットの底面の一部が傾斜又は陥没したような場合に、各部材の連結部が追従できずに破断し、倒壊してしまうといった問題がある。また、従来の雨水貯留構造物では、各部材を連結するための部品が多数必要であるため、部品点数が多く、組立作業が煩雑であるという問題があった。
【０００７】
本発明は、上記実情に鑑みてなされたものであり、強度がより向上した雨水貯留浸透システム用構造部材及びこれを用いた雨水貯留浸透システムを提供することを目的とする。また、本発明は、部品点数が削減された雨水貯留浸透システム用構造部材及びこれを用いた雨水貯留浸透システムを提供することを目的とする。さらに、本発明は、組立作業が容易な雨水貯留浸透システム用構造部材及びこれを用いた雨水貯留浸透システムを提供することを目的とする。
【課題を解決するための手段】
【０００８】
第１の本発明に係る雨水貯留浸透システム用構造部材は、複数の棒状の縦部材及び複数の板状の横部材を組み立てて三次元構造体を形成するための雨水貯留浸透システム用構造部材であって、上記縦部材には、第１係合部が形成され、上記横部材には、上記第１係合部に対して縦方向にスライド可能に係合する第２係合部が形成され、複数の上記横部材が縦方向に並べて設けられるとともに、それらの横部材のうち縦方向に互いに隣接する少なくとも２つの横部材の上記第２係合部に対して、１つの上記縦部材の上記第１係合部が係合することを特徴とする。
【０００９】
このような構成によれば、縦方向に並べて設けられた少なくとも２つの横部材が、それらの第２係合部に対して第１係合部が係合する１つの縦部材によって連結される。すなわち、他の連結部材を用いることなく、複数の横部材を縦部材によって連結することができる。
【００１０】
このようにして連結された縦部材及び横部材は、第１係合部及び第２係合部を介して互いに縦方向にスライド可能に連結されているため、地盤沈下などによって縦部材又は横部材が縦方向に変位した場合であっても、対応する第１係合部及び第２係合部が追従してスライドするだけで、それらの係合部が追従できずに破断するのを防止できるので、強度をより向上することができる。また、他の連結部材を用いることなく、複数の横部材を縦部材によって連結することができるので、部品点数を削減することができるとともに、組立作業が容易である。
【００１１】
第２の本発明に係る雨水貯留浸透システム用構造部材は、３つの上記縦部材及びこれらの縦部材を介して互いに三角形状に連結された３つの上記横部材により、トラス構造体が形成されることを特徴とする。
【００１２】
このような構成によれば、トラス構造体を含む三次元構造体を形成することができるので、強度をより向上することができる。
【００１３】
第３の本発明に係る雨水貯留浸透システム用構造部材は、上記縦部材には、上記第１係合部が周方向に等間隔に並べて６つ形成され、周方向に隣接する上記第１係合部に係合する上記横部材が、互いに６０°の角度をなすことを特徴とする。
【００１４】
このような構成によれば、１つの縦部材に形成されている６つの第１係合部に、それぞれ異なる横部材の第２係合部を係合させ、これらの横部材をさらに他の縦部材に連結することにより、１つの縦部材の周囲に６つのトラス構造体を形成することができる。したがって、より多くのトラス構造体を含む三次元構造体を形成することができるので、強度をさらに向上することができる。
【００１５】
上記雨水貯留浸透システム用構造部材は、上記三次元構造体の側面に設けられ、横方向に隣接する３つの縦部材に跨るように取り付けられるＴ字形状の側板を備えていてもよい。
【００１６】
このような構成によれば、三次元構造体の側面に対して、横方向に隣接する３つの縦部材に跨るようにＴ字形状の側板を取り付けることにより、強度をより向上することができる。
【００１７】
上記雨水貯留浸透システム用構造部材は、上記三次元構造体の側面に設けられ、横方向に隣接する２つの縦部材に跨るように取り付けられるＬ字形状の側板を備えていてもよい。
【００１８】
このような構成によれば、三次元構造体の側面に対して、横方向に隣接する２つの縦部材に跨るようにＬ字形状の側板を取り付けることにより、強度をより向上することができる。
【００１９】
上記雨水貯留浸透システム用構造部材は、１つの上記縦部材を中心にして互いに隣接する６つの上記トラス構造体上に取り付けられる六角形状の天板を備えていてもよい。
【００２０】
このような構成によれば、１つの縦部材を中心にして互いに隣接する６つのトラス構造体上に形成される六角形状の領域に、当該六角形状に対応する天板を取り付けることができる。これにより、複数のトラス構造体上を定形の天板により一度に覆うことができるので、部品点数を削減することができるとともに、組立作業が容易である。
【００２１】
上記雨水貯留浸透システム用構造部材は、上記横部材が、複数の開口部を有するとともに、非開口部において板状の筋交いを形成していてもよい。
【００２２】
このような構成によれば、横部材に形成された板状の筋交いによって、剪断力に対する強い抵抗力を確保することができる。つまり、このような三次元構造体においては、横部材に対して大きな剪断変形をもたらす応力がかかることから、筋交いを設けて補強することにより、こうした応力に伴って生じる二次的なねじれ力に対しても強い抵抗力を確保することができる。したがって、強度をさらに向上することができる。
【００２３】
また、横部材に開口部を形成することにより、横部材自体の軽量化を図ることができるとともに、三次元構造体全体の軽量化を図ることができるので、輸送コストを低減することができる。さらに、横部材に形成されている開口部を介して三次元構造体内における視認性を確保することができるので、メンテナンス作業を容易化することができる。
【００２４】
第４の本発明に係る雨水貯留浸透システムは、請求項１〜３のいずれかに記載の雨水貯留浸透システム用構造部材により形成される上記三次元構造体を地面に埋設することにより、複数の上記横部材によって囲まれた縦方向に延びる空間内に雨水を貯留可能としたことを特徴とする。
【００２５】
このような構成によれば、請求項１〜３のいずれかに記載の発明と同様の効果を奏する雨水貯留浸透システムを提供することができる。すなわち、強度をより向上することができるとともに、部品点数を削減することができ、かつ、組立作業が容易な雨水貯留浸透システムを提供することができる。
【発明の効果】
【００２６】
本発明によれば、地盤沈下などによって縦部材又は横部材が縦方向に変位した場合であっても、対応する第１係合部及び第２係合部が追従してスライドするだけで、それらの係合部が追従できずに破断するのを防止できるので、強度をより向上することができる。また、他の連結部材を用いることなく、複数の横部材を縦部材によって連結することができるので、部品点数を削減することができるとともに、組立作業が容易である。
【発明を実施するための最良の形態】
【００２７】
図１は、本発明の一実施形態に係る雨水貯留浸透システム用構造部材を組み立てることにより形成された三次元構造体１の一例を示した平面図である。図２は、三次元構造体１の一例を示した側面図である。以下では、図２における上下方向を縦方向とし、当該縦方向に対して垂直方向を横方向として説明することとする。なお、図１及び図２では、各部材を組み立てることにより形成された三次元構造体１の全体形状が若干異なっているが、各部材の形状及びそれらの連結態様は同一である。
【００２８】
この三次元構造体１は、地面に埋設されて雨水を貯留するためのものであり、縦部材２、横部材３、側板４及び天板５をそれぞれ複数組み合わせて、互いに連結することにより形成される。これらの各部材２〜５は、耐食性の高い材料、例えばポリプロピレン、ポリエチレン、ポリ塩化ビニル、ＰＥＴ（ポリエチレンテレフタレート）などの合成樹脂を用いて形成することができる他、ステンレスなどの金属を用いて形成することも可能である。
【００２９】
縦部材２は、縦方向に長い棒状の部材であり、その周面において横部材３と係合可能に構成されている。この三次元構造体１では、複数本の縦部材２が縦方向に並べて設けられることにより、縦方向に長い縦軸２０が複数形成されている。この例では、各縦軸２０は、第１縦部材２Ａと、当該第１縦部材２Ａの半分の長さに形成された第２縦部材２Ｂとにより形成されている。このような縦軸２０を互いに一定間隔を隔てて横方向に並べて配置するとともに、これらの縦軸２０間に複数の横部材３を連結することにより、三次元構造体１の骨格を形成することができる。
【００３０】
横部材３は、複数の開口部が形成された矩形状の板状部材であり、その横方向の両側辺において縦部材２と係合可能に構成されている。横方向に隣接する縦軸２０間に、縦方向に並べて複数の横部材３を連結することにより、それらの縦軸２０の上端から下端まで連続して横部材３を配置することができる。この例では、横部材３には、縦方向に長い長方形状の第１横部材３Ａと、横方向の長さが第１横部材３Ａと同一であり、縦方向の長さが第１横部材３Ａの半分に形成された横方向に長い長方形状の第２横部材３Ｂとが含まれている。横部材３は、縦方向又は横方向の一方に長い長方形状に限らず、正方形状に形成されていてもよい。
【００３１】
側板４は、縦部材２及び横部材３を組み立てることにより形成される三次元構造体１の骨格に対して、その側面に設けられる板状部材である。この例では、側板４には、平面視でＴ字形状の第１側板４Ａと、平面視でＬ字形状の第２側板４Ｂとが含まれている。これらの側板４は、横部材３とは異なり開口部を有しておらず、複数の側板４を三次元構造体１の側面に設けることにより、側面全体を側板４で覆うことができるようになっている。ただし、側板４は、開口部を有するような形状であってもよい。
【００３２】
天板５は、縦部材２及び横部材３を組み立てることにより形成される三次元構造体１の骨格に対して、その上面に設けられる板状部材である。この例では、天板５には、平面視で正六角形状の第１天板５Ａと、この第１天板５Ａの６分の１の面積からなる平面視で正三角形状の第２天板５Ｂとが含まれている。これらの天板５は、側板４と同様に開口部を有しておらず、複数の天板５を三次元構造体１の上面に設けることにより、上面全体を天板５で覆うことができるようになっている。ただし、天板５は、開口部を有するような形状であってもよい。
【００３３】
三次元構造体１の一部には、縦部材２及び横部材３が省略されることにより縦方向に延びる空間が形成されており、この空間内に挿入された補強部材６によって縦方向に延びる点検孔７が形成されている。この点検孔７は、人が入れる程度の直径からなる円形状に形成されており、この例では直径が６００ｍｍとなっている。このように点検孔７を形成することにより、当該点検孔７から作業者が三次元構造体１の内部に入り、メンテナンスを行うことができるようになっている。
【００３４】
図３は、第１縦部材２Ａの一例を示した図であり、（ａ）は平面図、（ｂ）は一部側面図を示している。第２縦部材２Ｂは、第１縦部材２Ａと同一の平面形状を有しており、その長さのみが異なっているので、ここでは第１縦部材２Ａの構成についてのみ説明し、第２縦部材２Ｂについての説明は省略することとする。
【００３５】
第１縦部材２Ａは、周面に６つの側面２１が互いに１２０°の角度で交差するように形成されることにより、平面視で六角形状に形成されている。各側面２１には、縦方向に延びる第１係合部２２が形成されている。これにより、第１縦部材２Ａには、第１係合部２２が周方向に等間隔に並べて６つ形成されている。また、第１縦部材２Ａには、中心軸線に沿って縦方向に貫通する円形状の貫通孔２５が形成されている。
【００３６】
各側面２１に形成された第１係合部２２は、互いに同一形状を有しており、それぞれ開口部２３及び拡大部２４からなる凹部により形成されている。この第１係合部２２は、第１縦部材２Ａの上端から下端まで縦方向に一直線状に延びており、上端面において上方に開口するとともに、下端面において下方に開口している。開口部２３は、一定の幅で縦部材２の上端から下端まで一直線状に延びている。拡大部２４は、開口部２３の内底面の断面積を拡大するように、開口部２３に連続して逆球面状に形成されている。
【００３７】
上記のような形状を有する縦部材２（第１縦部材２Ａ及び第２縦部材２Ｂ）が、図２に示すように縦方向に複数並べられて縦軸２０が形成された場合には、各縦部材２の第１係合部２２及び貫通孔２５が、当該縦軸２０の上端から下端まで縦方向に一直線状に連通することとなる。図２の例では、第２縦部材２Ｂが下端部にのみ設けられた構成が示されているが、このような構成に限らず、第２縦部材２Ｂが上端部に設けられた構成であってもよいし、中央部等の他の位置に設けられた構成であってもよい。
【００３８】
図４は、第１横部材３Ａの一例を示した図であり、（ａ）は側面図、（ｂ）は平面図を示している。第１横部材３Ａは、縦方向に長い長方形状であり、その４辺に沿ってそれぞれ三角形状の開口部３１が形成されている。これにより、第１横部材３Ａには、２つの対角線に沿ってそれぞれ延びる２本の梁部３２が形成され、これらの梁部３２が互いに中央部において交差することにより、非開口部に板状の筋交い３２Ａが形成されている。各梁部３２の両端部及び交差部には、梁部３２よりも大きい幅を有する補強部３３が形成されている。
【００３９】
第１横部材３Ａの横方向の両側辺である長辺には、それぞれ第１横部材３Ａの上端から下端まで縦方向に一直線状に延びる第２係合部３４が形成されている。各第２係合部３４は、互いに同一形状を有しており、それぞれ根元部３５及び頭部３６からなる凸部により形成されている。根元部３５は、第１横部材３Ａの長辺に沿って上端から下端まで一定の幅で一直線状に突出形成されており、縦部材２の開口部２３に対応する形状を有している。頭部３６は、根元部３５の先端を拡大するように、根元部３５に連続して球面状に形成されており、縦部材２の拡大部２４に対応する形状を有している。
【００４０】
図５は、第２横部材３Ｂの一例を示した図であり、（ａ）は側面図、（ｂ）は平面図を示している。第２横部材３Ｂは、横方向に長い長方形状であり、その横方向の両側辺及び下端辺に沿ってそれぞれ三角形状の開口部３１が形成されている。これにより、第２横部材３Ｂには、下端側の各角部から上端辺の中央部に向かってそれぞれ延びる２本の梁部３２が形成され、これらの梁部３２が互いに上端辺において交差することにより、非開口部に板状の筋交い３２Ａが形成されている。各梁部３２の下端側の角部及び交差部には、梁部３２よりも大きい幅を有する補強部３３が形成されている。
【００４１】
第２横部材３Ｂの横方向の両側辺である短辺には、それぞれ第２横部材３Ｂの上端から下端まで縦方向に一直線状に延びる第２係合部３４が形成されている。各第２係合部３４は、互いに同一形状を有しており、それぞれ根元部３５及び頭部３６からなる凸部により形成されている。第２横部材３Ｂの第２係合部３４の平面形状は、第１横部材３Ａの第２係合部３４と同一形状からなり、根元部３５は縦部材２の開口部２３に対応し、頭部３６は縦部材２の拡大部２４にそれぞれ対応する形状を有している。
【００４２】
上記のような形状を有する横部材３（第１横部材３Ａ及び第２横部材３Ｂ）が、図２に示すように縦方向に複数並べられた場合には、各横部材３の第２係合部３４が上端から下端まで縦方向に一直線状に連続することとなる。図２の例では、第２横部材３Ｂが上端部にのみ設けられた構成が示されているが、このような構成に限らず、第２横部材３Ｂが下端部に設けられた構成であってもよいし、中央部等の他の位置に設けられた構成であってもよい。上記のような連続する複数の第２係合部３４は、複数の縦部材２からなる縦軸２０における連通する複数の第１係合部２２に対応する形状を有しており、各縦部材２の第１係合部２２と各横部材３の第２係合部３４とが、互いに縦方向にスライド可能に係合するように取り付けられる。
【００４３】
第１縦部材２Ａ及び第１横部材３Ａは縦方向の長さが同一であり、図２に示すように、各縦軸２０における各第１縦部材２Ａの縦方向の中央部に、各第１横部材３Ａの縦方向の端部が位置し、各第１横部材３Ａの縦方向の中央部に、各第１縦部材２Ａの縦方向の端部が位置するように組み立てられる。すなわち、縦方向に並べて設けられた複数の第１縦部材２Ａ及び第１横部材３Ａは、縦方向に互いに隣接する２つの第１縦部材２Ａの第１係合部２２に対して、１つの第１横部材３Ａの第２係合部３４が係合するとともに、縦方向に互いに隣接する２つの第１横部材３Ａの第２係合部３４に対して、１つの第１縦部材２Ａの第１係合部２２が係合することにより、他の連結部材を用いることなく連結されている。
【００４４】
縦部材２の各第１係合部２２に横部材３の第２係合部３４を係合させた状態では、図１に示すように、１つの縦部材２を中心として周方向に隣接する６つの横部材３が、互いに６０°の角度をなしている。これにより、３つの縦部材２及びこれらの縦部材２を介して互いに正三角形状に連結された３つの横部材３によって、トラス構造体８が形成されている。すなわち、各縦部材２及び各横部材３を互いに連結して組み立てることにより、図１に示したような複数のトラス構造体８からなる三次元構造体１を形成することができる。これらの各トラス構造体８が互いに縦方向に連通するように並べて設けられることにより、三次元構造体１には、複数の横部材３によって囲まれた縦方向に延びる平面視で三角形状の空間９が形成され、当該空間９内に雨水を貯留することが可能になる。
【００４５】
このように、トラス構造体８を含む三次元構造体１を形成することにより、強度をより向上することができる。特に、本実施形態では、１つの縦部材２に形成されている６つの第１係合部２２に、それぞれ異なる横部材３の第２係合部３４を係合させ、これらの横部材３をさらに他の縦部材２に連結することにより、１つの縦部材２の周囲に６つのトラス構造体８を形成することができる。したがって、より多くのトラス構造体８を含む三次元構造体１を形成することができるので、強度をさらに向上することができる。
【００４６】
また、本実施形態では、横部材３に形成された板状の筋交い３２Ａによって、剪断力に対する強い抵抗力を確保することができる。つまり、このような三次元構造体１においては、横部材３に対して大きな剪断変形をもたらす応力がかかることから、筋交い３２Ａを設けて補強することにより、こうした応力に伴って生じる二次的なねじれ力に対しても強い抵抗力を確保することができる。したがって、強度をさらに向上することができる。
【００４７】
また、横部材３に開口部３１を形成することにより、横部材３自体の軽量化を図ることができるとともに、三次元構造体１全体の軽量化を図ることができるので、輸送コストを低減することができる。さらに、横部材３に形成されている開口部３１を介して、図１に矢印で示すように、点検孔７から三次元構造体１内を広範囲にわたって見渡すことができる。すなわち、横部材３に形成されている開口部３１により三次元構造体１内における視認性を確保することができるので、メンテナンス作業を容易化することができる。
【００４８】
図６は、横部材３の変形例を示した図であり、（ａ）は側面図、（ｂ）は平面図を示している。この例では、図４及び図５の例のように横部材３に筋交い３２Ａは形成されておらず、図４及び図５の例で横部材３に形成されている開口部３１よりも大きい１つの開口部３７が形成されている。開口部３７は横部材３の中央部に円形状に形成されており、当該横部材３の４隅には補強部３８が形成されている。この横部材３における横方向の両側辺には、図４及び図５の例と同様の構成からなる第２係合部３４が形成されている。
【００４９】
この例のように、横部材３に比較的大きい開口部３７を形成した場合には、当該開口部３７を介して三次元構造体１内における視認性をより高めることができる。三次元構造体１を形成する場合には、横部材３として図６に示したような構成のもののみを使用してもよいし、視認性を重視すべき部分にのみ図６に示したような構成のものを使用し、他の部分には図４又は図５に示したような構成のものを使用してもよい。なお、横部材３としては、図４〜図６に示したような構成の他、開口部を有しない構成など、各種構成からなる横部材３を採用することができる。
【００５０】
図７は、第１側板４Ａの一例を示した図であり、（ａ）は平面図、（ｂ）は側面図を示している。第１側板４Ａは、矩形状の側板部４１と、当該側板部４１の横方向中央部から垂直に突出する突出部４２とが一体的に形成されることにより、平面視でＴ字形状に形成されている。側板部４１は、横方向に長い長方形状に形成されている。突出部４２は、側板部４１と同一の厚みで形成され、側板部４１の上端から下端まで縦方向に一直線状に延びている。
【００５１】
突出部４２の先端面４２Ａは、当該突出部４２が突出する方向に対して直交方向、すなわち側板部４１に対して平行に延びている。一方、側板部４１における横方向の両端面４１Ａは、突出部４２が突出する方向に対して傾斜しており、この例では傾斜角θ１が３０°となっている。このような構成により、第１側板４Ａが三次元構造体１の側面に取り付けられたときには、図１に示すように、横方向に隣接する３つの縦部材２に跨るように取り付けられるようになっている。より具体的には、横方向に隣接する３つの縦部材２のうち、中央に位置する縦部材２の側面２１に突出部４２の先端面４２Ａが当接し、両端に位置する各縦部材２の側面２１に側板部４１の両端面４１Ａがそれぞれ当接するようになっている。
【００５２】
図８は、第２側板４Ｂの一例を示した図であり、（ａ）は平面図、（ｂ）は側面図を示している。第２側板４Ｂは、矩形状の側板部４３と、当該側板部４３における横方向の一端部から垂直に突出する突出部４４とが一体的に形成されることにより、平面視でＬ字形状に形成されている。側板部４３は、その横方向の幅が第１側板４Ａの側板部４１の半分に形成されている。突出部４４は、側板部４３の半分の厚みで形成され、側板部４３の上端から下端まで縦方向に一直線状に延びている。
【００５３】
突出部４４の先端面４４Ａは、当該突出部４４が突出する方向に対して直交方向、すなわち側板部４３に対して平行に延びている。一方、側板部４３における横方向の他端面４３Ａは、突出部４４が突出する方向に対して傾斜しており、この例では傾斜角θ２が３０°となっている。このような構成により、第２側板４Ｂが三次元構造体１の側面に取り付けられたときには、図１に示すように、横方向に隣接する２つの縦部材２に跨るように取り付けられるようになっている。より具体的には、横方向に隣接する２つの縦部材２のうち、一方の縦部材２の側面２１に突出部４４の先端面４４Ａが当接し、他方の縦部材２の側面２１に側板部４３の他端面４３Ａが当接するようになっている。
【００５４】
図１に示すように、第２側板４Ｂは、三次元構造体１の側面における角部に設けることもできるし、２つの第２側板４Ｂを組み合わせて、三次元構造体１の側面における角部以外の部分に設けることもできる。２つの第２側板４Ｂを組み合わせる場合には、それらの突出部４４の外面同士を当接させることにより、図７に示した第１側板４Ａと同様の構成を得ることができ、図１に示すように、それらの第２側板４Ｂを隣接する３つの縦部材２に跨るように取り付けることもできる。
【００５５】
本実施形態では、三次元構造体１の側面に対して、Ｔ字形状の第１側板４ＡやＬ字形状の第２側板４Ｂを取り付けることにより、強度をより向上することができる。さらに、本実施形態では、図１に示すように、１つの縦部材２を中心にして互いに隣接する６つのトラス構造体８上に形成される六角形状の領域に、当該六角形状に対応する第１天板５Ａを取り付けることができる。これにより、複数のトラス構造体８上を定形の第１天板５Ａにより一度に覆うことができるので、部品点数を削減することができるとともに、組立作業が容易である。
【００５６】
なお、側板４は、縦部材２の第１係合部２２に対して係合するように取り付けられるような構成であってもよいし、第１係合部２２以外の係合手段を介して縦部材２に取り付けられるような構成であってもよい。
【００５７】
図９は、補強部材６の一例を示した平面図である。補強部材６は、縦方向に一直線状に延びる筒状の部材であり、その内周面によって点検孔７が形成されている。補強部材６の上端面には、それぞれ横方向に長方形状に張り出した６つの張出部６１が、周方向に等間隔に並べて形成されている。これらの各張出部６１の間には、それぞれ台形状の凹部６２が形成されている。
【００５８】
各凹部６２は、縦部材２における隣接する３つの側面２１に対応する形状に形成されており、六角形状に位置する６つの縦部材２が各凹部６２内に入り込むようにして、補強部材６が三次元構造体１内に設けられる。これにより、上記６つの縦部材２を互いに連結する６つの横部材３上に、各凹部６２間に位置する張出部６１が当接し、補強部材６が三次元構造体１により安定して支持されるようになっている。
【００５９】
図１０は、三次元構造体１が適用された雨水貯留浸透システムの一例を示した概略側面図である。雨水貯留浸透システムを構築する際には、まず、地面に１〜５ｍ程度の凹部からなるピットを形成するとともに、ピット周囲に側溝１１を形成し、ピットの底面に砕石や砂などを敷設して平準化することにより基礎１２を形成する。そして、基礎１２上に遮水材により形成された遮水シート１３を敷設した後、縦部材２、横部材３、側板４及び天板５といった雨水貯留浸透システム用構造部材を組み立てることにより、ピット内に三次元構造体１を形成する。ただし、ピット内で雨水貯留浸透システム用構造部材を組み立てることにより三次元構造体１を形成する代わりに、ピット外で組み立てて形成された三次元構造体１をピット内に搬入してもよい。このようにして組み立てられた三次元構造体１は、樹脂製又は金属製などのベルトで締結されることにより固定されることが好ましい。
【００６０】
その後、側溝１１と遮水シート１３内とを連通する配管１５を敷設することにより、側溝１１から配管１５を介して遮水シート１３内に雨水を流入可能にするとともに、ピット内における遮水シート１３の周囲の空間１４に、必要に応じて埋め戻しを行う。そして、三次元構造体１の上方を遮水シート１３で覆い、その上から０．５〜２ｍ程度の土砂を被覆して覆土１６を形成することにより、三次元構造体１が地面に埋設される。ただし、三次元構造体１の上方を遮水シート１３で覆う代わりに、透水性シートで覆うことにより雨水を浸透させるようにしてもよい。側溝１１は、その底部に泥溜１７が形成されるように、底部が幾分深くなっている。
【００６１】
図１１は、地盤沈下に対する三次元構造体１の追従性について説明するための概略図である。本実施形態では、縦部材２及び横部材３が、第１係合部２２及び第２係合部３４を介して互いに縦方向にスライド可能に連結されている。そのため、図１１（ａ）のように平坦面上に三次元構造体１が設けられた状態で、地盤沈下などにより上記平坦面に起伏が生じ、縦部材２又は横部材３が縦方向に変位した場合であっても、図１１（ｂ）に示すように、対応する第１係合部２２及び第２係合部３４が追従してスライドするだけで、それらの係合部２２，３４が追従できずに破断するのを防止できる。
【００６２】
したがって、本実施形態の雨水貯留浸透システム用構造体により形成した三次元構造体１によれば、強度をより向上することができる。また、他の連結部材を用いることなく、複数の横部材３を縦部材２によって連結することができるので、部品点数を削減することができるとともに、組立作業が容易である。
【００６３】
以上の実施形態では、縦部材２に形成された第１係合部２２が凹部からなり、横部材３に形成された第２係合部３４が凸部からなるような構成について説明したが、このような構成に限らず、縦部材２に形成された第１係合部２２が凸部からなり、横部材３に形成された第２係合部３４が凹部からなるような構成であってもよい。また、第１係合部２２及び第２係合部３４が、凹部又は凸部により形成されるような構成に限らず、互いに縦方向にスライド可能に係合するような構成であれば、各種構成を採用することができる。
【００６４】
また、以上の実施形態では、縦方向に互いに隣接する２つの横部材３の第２係合部３４に対して、１つの縦部材２の第１係合部２２が係合するような構成について説明したが、このような構成に限らず、縦方向に互いに隣接する３つ以上の横部材３の第２係合部３４に対して、１つの縦部材２の第１係合部２２が係合するような構成であってもよい。この場合、縦部材２及び横部材３の縦方向の長さが同一ではなく、縦部材２が横部材３よりも長く形成されていてもよい。この場合、縦軸２０は、複数の縦部材２により形成されるような構成に限らず、１本の長い縦部材２により形成されていてもよい。
【００６５】
さらに、以上の実施形態では、縦部材２の周方向に隣接する第１係合部２２に係合した横部材３が、互いに６０°の角度をなすような構成について説明したが、このような構成に限らず、他の角度をなすような構成であってもよい。この場合、３つの縦部材２及びこれらの縦部材２を介して互いに連結された３つの横部材３によって、正三角形状のトラス構造体８が形成されるような構成に限らず、他の三角形状のトラス構造体が形成されるような構成であってもよい。
【００６６】
また、縦部材２及び横部材３を組み立てることによりトラス構造体８が形成されるような構成に限らず、縦部材２及び横部材３が三角形状以外の形状に組み立てられるような構成であってもよい。例えば、縦部材２に対して第１係合部２２を周方向に等間隔に並べて４つ形成し、これらの第１係合部２２に係合した隣接する横部材３が、互いに９０°の角度をなすような構成とすることにより、縦部材２及び横部材３が四角形状に組み立てられるようになっていてもよい。
【図面の簡単な説明】
【００６７】
【図１】本発明の一実施形態に係る雨水貯留浸透システム用構造部材を組み立てることにより形成された三次元構造体の一例を示した平面図である。
【図２】三次元構造体の一例を示した側面図である。
【図３】第１縦部材の一例を示した図であり、（ａ）は平面図、（ｂ）は一部側面図を示している。
【図４】第１横部材の一例を示した図であり、（ａ）は側面図、（ｂ）は平面図を示している。
【図５】第２横部材の一例を示した図であり、（ａ）は側面図、（ｂ）は平面図を示している。
【図６】横部材の変形例を示した図であり、（ａ）は側面図、（ｂ）は平面図を示している。
【図７】第１側板の一例を示した図であり、（ａ）は平面図、（ｂ）は側面図を示している。
【図８】第２側板の一例を示した図であり、（ａ）は平面図、（ｂ）は側面図を示している。
【図９】補強部材の一例を示した平面図である。
【図１０】三次元構造体が適用された雨水貯留浸透システムの一例を示した概略側面図である。
【図１１】地盤沈下に対する三次元構造体の追従性について説明するための概略図である。
【図１２】雨水貯留構造物の従来例を示した概略図である。
【図１３】雨水貯留構造物の他の従来例を示した概略図である。
【符号の説明】
【００６８】
１    三次元構造体
２    縦部材
２Ａ  第１縦部材
２Ｂ  第２縦部材
３    横部材
３Ａ  第１横部材
３Ｂ  第２横部材
４    側板
４Ａ  第１側板
４Ｂ  第２側板
５    天板
５Ａ  第１天板
５Ｂ  第２天板
８    トラス構造体
９    空間
２２    第１係合部
３１    開口部
３２Ａ  筋交い
３４    第２係合部
【図１】
2009062741.tif 000003
【図２】
2009062741.tif 000004
【図３】
2009062741.tif 000005
【図４】
2009062741.tif 000006
【図５】
2009062741.tif 000007
【図６】
2009062741.tif 000008
【図７】
2009062741.tif 000009
【図８】
2009062741.tif 000010
【図９】
2009062741.tif 000011
【図１０】
2009062741.tif 000012
【図１１】
2009062741.tif 000013
【図１２】
2009062741.tif 000014
【図１３】
2009062741.tif 000015